(57)【要約】【課題】設定されるセキュリティレベルに応じて、印刷情報が送信される接続手段を変更し、第三者への印刷情報の漏えいを防ぐこと。【解決手段】画像形成装置は、情報処理装置と複数のネットワーク接続手段のいずれかを介して接続され、前記情報処理装置に、１又は複数の使用可能なネットワーク接続手段を示す情報及び前記ネットワーク接続手段と関連付けられるセキュリティレベルを示す情報を送信する送信部と、前記送信されたセキュリティレベルを示す情報のうち、いずれかのセキュリティレベルを示す情報を前記情報処理装置から受信する受信部と、前記情報処理装置から受信したセキュリティレベルを示す情報に基づいて、前記情報処理装置とのネットワーク接続手段を切り替える切替部と、前記切り替えられたネットワーク接続手段を用いて受信した印刷データを印刷する印刷部とを有する。【選択図】図５
2019155832.tif 000002
【特許請求の範囲】
【請求項１】
情報処理装置と複数のネットワーク接続手段のいずれかを介して接続される画像形成装置であって、
前記情報処理装置に、１又は複数の使用可能なネットワーク接続手段を示す情報及び前記ネットワーク接続手段と関連付けられるセキュリティレベルを示す情報を送信する送信部と、
前記送信されたセキュリティレベルを示す情報のうち、いずれかのセキュリティレベルを示す情報を前記情報処理装置から受信する受信部と、
前記情報処理装置から受信したセキュリティレベルを示す情報に基づいて、前記情報処理装置とのネットワーク接続手段を切り替える切替部と、
前記切り替えられたネットワーク接続手段を用いて受信した印刷データを印刷する印刷部とを有する画像形成装置。
【請求項２】
前記切替部は、システムリソース状況又は印刷状態に基づいて、ネットワーク接続手段を切り替え可能か否か判定する請求項１記載の画像形成装置。
【請求項３】
前記切替部が所定の期間接続手段を切り替えることができなかった場合、前記送信部及び前記受信部は、切り替える前のネットワーク接続手段を用いて前記情報処理装置と接続を行う請求項２記載の画像形成装置。
【請求項４】
前記切替部は、前記情報処理装置から受信したセキュリティレベルを示す情報が、所定のセキュリティレベル以下であった場合、ネットワーク接続手段の変更を拒絶する請求項１記載の画像形成装置。
【請求項５】
情報処理装置と複数のネットワーク接続手段のいずれかを介して接続される画像形成装置が実行する画像形成方法であって、
前記情報処理装置に、１又は複数の使用可能なネットワーク接続手段を示す情報及び前記ネットワーク接続手段と関連付けられるセキュリティレベルを示す情報を送信する送信手順と、
前記送信されたセキュリティレベルを示す情報のうち、いずれかのセキュリティレベルを示す情報を前記情報処理装置から受信する受信手順と、
前記情報処理装置から受信したセキュリティレベルを示す情報に基づいて、前記情報処理装置とのネットワーク接続手段を切り替える切替手順と、
前記切り替えられたネットワーク接続手段を用いて受信した印刷データを印刷する印刷手順とを実行する画像形成方法。
【発明の詳細な説明】
【技術分野】
【０００１】
本発明は、画像形成装置及び画像形成方法に関する。
【背景技術】
【０００２】
電子写真方式を用いる画像形成装置は、接続される外部の情報処理装置から画像情報又は設定情報等を含む印刷情報を受信し、印刷情報に基づいた処理を画像形成装置で実行することで、印刷物を作成する。情報処理装置から画像形成装置に印刷情報を送信する手段として、有線ＬＡＮ（Local Area Network）経由又は無線ＬＡＮ経由等のネットワーク接続による情報送信技術が既に知られている（例えば特許文献１）。
【発明の概要】
【発明が解決しようとする課題】
【０００３】
しかしながら、従来のネットワーク接続による印刷情報の受信においては、インターネット等の公衆ネットワークを経由する場合に、第三者への印刷情報の漏えいを防ぐことができないという問題があった。
【０００４】
本発明は上記の点に鑑みてなされたものであって、設定されるセキュリティレベルに応じて、印刷情報が送信される接続手段を変更し、第三者への印刷情報の漏えいを防ぐことを目的とする。
【課題を解決するための手段】
【０００５】
そこで上記課題を解決するため、画像形成装置は、情報処理装置と複数のネットワーク接続手段のいずれかを介して接続され、前記情報処理装置に、１又は複数の使用可能なネットワーク接続手段を示す情報及び前記ネットワーク接続手段と関連付けられるセキュリティレベルを示す情報を送信する送信部と、前記送信されたセキュリティレベルを示す情報のうち、いずれかのセキュリティレベルを示す情報を前記情報処理装置から受信する受信部と、前記情報処理装置から受信したセキュリティレベルを示す情報に基づいて、前記情報処理装置とのネットワーク接続手段を切り替える切替部と、前記切り替えられたネットワーク接続手段を用いて受信した印刷データを印刷する印刷部とを有する。
【発明の効果】
【０００６】
設定されるセキュリティレベルに応じて、印刷情報が送信される接続手段を変更し、第三者への印刷情報の漏えいを防ぐことができる。
【図面の簡単な説明】
【０００７】
【図１】本発明の実施の形態における情報処理システムの例を示す図である。
【図２】本発明の実施の形態における情報処理装置１のハードウェア構成例を示す図である。
【図３】本発明の実施の形態における画像形成装置４のハードウェア構成例を示す図である。
【図４】本発明の実施の形態における情報処理装置１の機能構成例を示す図である。
【図５】本発明の実施の形態における画像形成装置４の機能構成例を示す図である。
【図６】本発明の実施の形態における接続方法の制御手順（１）を説明するためのシーケンス図である。
【図７】本発明の実施の形態における接続方法の制御手順（２）を説明するためのシーケンス図である。
【発明を実施するための形態】
【０００８】
以下、図面に基づいて本発明の実施の形態を説明する。
【０００９】
図１は、本発明の実施の形態における情報処理システムの例を示す図である。図１に示されるように、本発明の実施の形態における情報処理システムは、情報処理装置１及び画像形成装置４がネットワーク３を介して接続されている。
【００１０】
情報処理装置１は、ユーザからの印刷指示に従い、プリンタドライバを介して印刷データの生成及び画像形成装置４への印刷データの送信を行う、ＰＣ（Personal Computer）又はサーバ等の装置である。印刷データは、画像形成装置４等が解釈して印刷を実行することができるＰＤＬ（Page Description Language）と呼ばれるデータである。生成された印刷データは、外部ネットワーク３を介した一対多の非セキュアな接続方法、あるいは直接無線通信等の一対一のセキュアな接続方法によって画像形成装置４へと送信される。情報処理装置１は、プリンタドライバのオープン時に画像形成装置４の機器情報を取得する。機器情報に含まれる使用可能なネットワーク接続方法とセキュリティレベルとの一意に対応する情報から、情報処理装置１は、セキュリティレベルに関する情報を抽出して画面に表示し、ユーザが任意のセキュリティレベルを選択できるようにする。選択されたセキュリティレベルに応じて、ネットワーク接続をよりセキュアなものに自動的に変更することで、第三者への印刷データの漏洩を防ぐことが可能となる。
【００１１】
画像形成装置４は、ＬＣＤ（Liquid Crystal Display）を備えた操作パネルが搭載されており、ユーザは操作パネルを介して画像形成装置４を操作し、機器の状態取得又は設定変更等を行う。画像形成装置４と情報処理装置１とは、物理的に離れた位置に設置されることが想定され、ユーザは、ネットワーク又はＵＳＢ（Universal Serial Bus）ケーブル等を介して情報処理装置１から印刷指示を送信する。その後、ユーザは画像形成装置４が設置された位置まで移動して印刷出力結果を入手する。画像形成装置４は、内部に使用可能なネットワーク接続方法とセキュリティレベルとを一意に対応させたデータテーブルを保持している。画像形成装置４は、情報処理装置１から機器情報取得要求を受信した場合に、トナー残量等の情報と共に当該データテーブルを情報処理装置１に送信する。画像形成装置４は、情報処理装置１側で設定されたセキュリティレベルに応じて、接続方法を自動で切り替えて印刷データを受け取るため、ユーザは画像形成装置４が設置された位置へ移動して手動で接続方法を切り替える必要がなくなり、利便性の向上が期待できる。
【００１２】
図２は、本発明の実施の形態における情報処理装置１のハードウェア構成例を示す図である。図２に示されるように、情報処理装置１は、ＣＰＵ１１（Central Processing Unit）、メモリユニット１２、補助記憶装置１３、ネットワーク制御部１４、入出力装置制御ユニット１５、外部メディア入出力装置１６及び各種インタフェース１７を有する。
【００１３】
ＣＰＵ１１は、メモリユニット１２に記憶される各種プログラムを実行することにより、情報処理装置１を制御する機能を実現する。メモリユニット１２は、ＲＯＭ（Read Only Memory）又はＲＡＭ（Random Access Memory）等であり、ＯＳ（Operating System）又はアプリケーションソフトウェア等のプログラム又はデータを、記憶又は一時保存する記憶装置である。補助記憶装置１３は、プログラム又はデータ等を格納するＨＤＤ（Hard Disk Drive）等の記憶装置である。補助記憶装置１３には、ユーザ情報等の各種情報が格納され、データベース又はファイルシステム等の機能により管理される。ネットワーク制御部１４は、ネットワークのコントローラ等であり、ＬＡＮ又はＷＡＮ（Wide Area Network）を介して、他の情報処理装置１又は画像形成装置４等と通信を行う。入出力装置制御ユニット１５は、外部メディア入出力装置１６又は各種インタフェース１７の管理を行い、外部機器とのデータの入出力を行う。外部メディア入出力装置１６は、ＵＳＢ接続等による記憶メディアを制御して、データ入出力を行う。各種インタフェース１７は、シリアルポート、ＵＳＢポート又はＩＥＥＥ１３９４等で外部機器を接続するためのインタフェースである。各種インタフェース１７によって、情報処理装置１は、汎用的な入出力装置を使用することができる。
【００１４】
図３は、本発明の実施の形態における画像形成装置４のハードウェア構成例を示す図である。図３に示されるように、画像形成装置４は、ＣＰＵ２１、メモリユニット２２、補助記憶装置２３、操作パネル２４、ネットワーク制御部２５、エンジン部２６及びＬＣＤ２７を有する。
【００１５】
ＣＰＵ２１は、メモリユニット２２に記憶される各種プログラムを実行することにより、画像形成装置４を制御する機能を実現する。メモリユニット２２は、ＲＯＭ又はＲＡＭ等であり、ＯＳ又はアプリケーションソフトウェア等のプログラム又はデータを、記憶又は一時保存する記憶装置である。補助記憶装置２３は、プログラム又はデータ等を格納するＨＤＤ等の記憶装置である。補助記憶装置２３には、印刷、スキャン、ファクシミリ等によって生成されたデータも格納される。操作パネル２４は、ユーザからの操作によってジョブの設定及び実行要求、メンテナンス動作の実行要求、その他の要求を受け付ける。操作パネル２４は、例えば、ＬＣＤ２７のような液晶ディスプレイ又は有機ＥＬ（Electroluminescence）ディスプレイ等を有する。また、操作パネル２４は、ＬＣＤ２７にユーザへの画面を表示させる。当該画面は、例えば、メニュー画面又は各種状態表示画面である。ネットワーク制御部２５は、ネットワークのコントローラ等であり、ＬＡＮ又はＷＡＮを介して、他の情報処理装置１又は画像形成装置４等と通信を行う。エンジン部２６は、プロッタ及びスキャナ等のエンジンを有し、ＣＰＵ２１の制御により印刷又はスキャン動作を実行する。
【００１６】
図４は、本発明の実施の形態における情報処理装置１の機能構成例を示す図である。図４に示されるように、情報処理装置１は、ＧＵＩ処理部１０１、印刷データ送信部１０２、ネットワーク処理部１０３、機器情報取得部１０４、接続方法切り替え部１０５、印刷データ生成部１０６、印刷データ管理部１０７、機器情報管理部１０８及び記憶部１０９を有する。これら各機能部は、図２に示されるメモリユニット１２に格納されるプログラムが、ＣＰＵ１１に実行させる処理によって実現される。情報処理装置１の記憶部１０９には、データとして、ドキュメント、印刷データ及び機器情報が記憶される。
【００１７】
ＧＵＩ処理部１０１は、プリンタドライバのＧＵＩ（Graphical User Interface）画面を制御する。ＧＵＩ画面は、ユーザと対話型操作が可能であり、ユーザからの要求を受け付ける。ユーザは、ＧＵＩ画面を用いて、プリンタの印刷設定、フィニッシャの条件又はセキュリティレベル等を設定できる。
【００１８】
印刷データ送信部１０２は、印刷データ生成部１０６が生成した印刷データを、画像形成装置４又はプリントサーバに送信する。
【００１９】
ネットワーク処理部１０３は、無線ＬＡＮ等の汎用プロトコルを用いて、外部の情報処理装置又は画像形成装置４等と通信を行い、セキュリティ情報を含む機器情報、印刷データ等を画像形成装置４と共有することができる。
【００２０】
機器情報取得部１０４は、無線ＬＡＮ等の汎用プロトコルを用いて、ネットワークを介して画像形成装置４の機器情報を取得することができる。機器情報には、例えば、トナー残量、用紙残量、ネットワーク接続形式とセキュリティレベルとを一意に対応させたデータテーブルを含む。
【００２１】
接続方法切り替え部１０５は、セキュリティレベルに応じて、画像形成装置４とのネットワーク接続方法を切り替えることができる。また、接続方法切り替え部１０５は、画像形成装置４に接続方法切り替え通知を送信し、接続切り替えを行うための設定情報を交換した後、接続切り替え処理を実行する。
【００２２】
印刷データ生成部１０６は、ユーザから指定されたドキュメントの印刷データを生成する。ドキュメントとは、テキストファイル、特定のアプリケーションソフトウェアの文書ファイル、画像ファイル等である。印刷データとは、画像形成装置４が解釈することができるＰＤＬ及び付随するデータである。生成された印刷データは、画像形成装置４又はプリントサーバに送信される。印刷データは、記憶部１０９に記憶されてもよい。
【００２３】
機器情報管理部１０８は、機器情報取得部１０４で取得した機器情報を管理する。機器情報に含まれる、ネットワーク接続形式とセキュリティレベルとを一意に対応させたデータテーブルのうち、セキュリティレベルに関する情報をＧＵＩ処理部１０１に通知し、ユーザは、ＧＵＩ画面上でセキュリティレベルを設定することができる。
【００２４】
図５は、本発明の実施の形態における画像形成装置４の機能構成例を示す図である。図５に示されるように、画像形成装置４は、操作画面処理部２０１、印刷処理部２０２、ネットワーク処理部２０３、アプリ処理部２０４、接続方法切り替え部２０５、印刷データ管理部２０６、機器情報管理部２０７、設定管理部２０８、接続切り替え可否管理部２０９及び記憶部２１０を有する。これら各機能部は、図３に示されるメモリユニット２２に格納されるプログラムが、ＣＰＵ２１に実行させる処理によって実現される。画像形成装置４の記憶部２１０には、印刷データ、機器情報及び各種設定が記憶される。
【００２５】
操作画面処理部２０１は、ユーザが操作を入力する操作画面を操作パネルに表示し、ユーザからの入力を受け付けるＧＵＩを処理及び制御する。操作画面処理部２０１は、ユーザからの操作によって、画像形成装置４へのジョブ実行要求を受け付ける。
【００２６】
印刷処理部２０２は、画像形成装置４に蓄積された印刷データに基づいて印刷を実行する。印刷処理部２０２は、印刷データ管理部２０６によって生成された印刷データを用いて、印刷処理を行う。
【００２７】
ネットワーク処理部２０３は、無線ＬＡＮ等の汎用プロトコルを用いて、外部の情報処理装置等と通信を行い、セキュリティ情報を含む機器情報又は印刷データを共有することができる。
【００２８】
アプリ処理部２０４は、画像形成装置４の状態等に基づいて表示すべき画面を決定し、操作画面処理部２０１に表示させる画面を指示する。例えば、画像形成装置４が使用されていない状態では、画像形成装置４が備える各種トナー又はインク状態等を示す画面を操作画面処理部２０１に表示させ、他の機能部に省エネモードに遷移するよう通知を行う。また、ユーザが印刷処理を実行する場合又はメニュー画面を選択した場合は、画像形成装置４が備える各種トナー又はインク状態等を示す画面を操作画面処理部２０１に表示させる。また、メニュー画面等においてユーザが入力した設定値を管理し、印刷処理部２０２等に通知する。永続化するデータは、設定管理部２０８が、記憶部２１０に記憶させる。
【００２９】
印刷データ管理部２０６は、印刷データを一時的に蓄積する機能を有し、印刷前の印刷データを管理する。また、印刷データ管理部２０６は、ネットワーク又はＵＳＢメディアから取得した印刷データを記憶部２１０に蓄積し、ＰＲＮファイルのような印刷可能なファイル形式に変換する。
【００３０】
機器情報管理部２０７は、画像形成装置４内部の機器情報を管理する。機器情報には、トナー残量、用紙残量、使用可能なネットワーク接続形式及びセキュリティレベルを一意に対応させたデータテーブルが含まれる。機器情報管理部２０７は、画像形成装置４が外部の情報処理装置１から機器情報取得要求を受信した場合、ネットワークを介して当該譲歩処理装置１に機器情報を送信する。
【００３１】
設定管理部２０８は、画像形成装置４の設定を管理する機能部であり、ユーザが入力又は選択したデータを保存し管理する。保存されたデータは、画像形成装置４が電源再起動を行っても継続して保持される。
【００３２】
接続切り替え可否管理部２０９は、情報処理装置１から接続切り替え通知を受け取った場合、システムリソース状況及び印刷状態を監視し、切り替え可能か否かを情報処理装置１に通知する。
【００３３】
図６は、本発明の実施の形態における接続方法の制御手順（１）を説明するためのシーケンス図である。図６において、設定されたセキュリティレベルに応じて情報処理装置１と画像形成装置４との接続方法を切り替える制御手順を説明する。
【００３４】
ステップＳ１０１において、情報処理装置１は、プリンタドライバをオープンする。続いて、情報処理装置１の機器情報取得部１０４は、画像形成装置４に対して外部ネットワークを介した非セキュア接続によって「機器情報取得要求」を送信する（Ｓ１０２）。画像形成装置４の機器情報管理部２０７は、情報処理装置１に使用可能なネットワーク接続形式とセキュリティレベルを一意に対応させたデータテーブルを含む機器情報を送信する。
【００３５】
ステップＳ１０３において、情報処理装置１のＧＵＩ処理部１０１は、取得した機器情報に基づいて、使用可能なネットワーク接続方法をセキュリティレベルと共にセキュリティレベルの高い順に表示する機器情報表示を行う。又は、使用可能なネットワーク接続方法を表示せずに、使用可能なセキュリティレベルのみを表示してもよい。
【００３６】
表１は、セキュリティレベルに関連付けられるネットワーク接続方法の例を示す。
【００３７】
【表１】
2019155832.tif 000003
表１に示されるように、セキュリティレベル３には、Ｗｉ−Ｆｉ（登録商標）Ｄｉｒｅｃｔによる直接無線通信が対応する。セキュリティレベル２には、有線ＬＡＮによる暗号化通信が対応する。セキュリティレベル１には、無線ＬＡＮによる非暗号通信が対応する。これらの関連付けは例であり、例えば、無線ＬＡＮによる暗号化通信、有線ＬＡＮによる非暗号化通信等のネットワーク接続方法がセキュリティレベルに関連付けられてもよい。なお、これらのネットワーク接続方法について、対応するネットワーク接続手段を情報処理装置１及び画像形成装置４は有する。
【００３８】
ステップＳ１０４において、情報処理装置１に表示された機器情報表示に対して、ユーザがセキュリティレベルを選択する。続いて、情報処理装置１の接続方法切り替え部１０５は、選択されたセキュリティレベルに応じた接続形式への切り替え通知を画像形成装置４に送信する（Ｓ１０５）。ここで、ユーザがステップＳ１０４で選択したセキュリティレベルが、現在の情報処理装置１と画像形成装置４との接続方法に関連付けられるセキュリティレベル以下である場合、接続方法を切り替えなくてもよい。また、ステップＳ１０４においてユーザがセキュリティレベルを選択せずに、情報処理装置１が自動で最高のセキュリティレベルに対応する接続方法を選択してもよい。また、ステップＳ１０４において、所定のセキュリティレベル以下である接続方法は、ユーザが選択することが不可であってもよい。なお、ステップＳ１０５において、画像形成装置４の接続方法切り替え部２０５は、所定のセキュリティレベル以下である接続要求を拒絶してもよい。
【００３９】
ステップＳ１０６において、情報処理装置１の接続方法切り替え部１０５は、接続切り替えのための設定情報交換を画像形成装置４と行う。続いて、情報処理装置１の接続方法切り替え部１０５は、接続切り替え要求を画像形成装置４に送信する（Ｓ１０７）。
【００４０】
ステップＳ１０８において、画像形成装置４の接続方法切り替え部２０５は、接続切り替え処理を行う。画像形成装置４の接続方法切り替え部２０５は、システムリソース又は印刷状況を監視し、ＣＰＵ負荷が高い場合又は印刷中である場合、接続方法の切り替えが不可であると判断してもよい。
【００４１】
画像形成装置４における接続方法の変更処理が完了して、接続応答が情報処理装置１に送信される（Ｓ１１０）まで、情報処理装置１の接続方法切り替え部１０５は、接続要求を画像形成装置４に所定の間隔で送信し続ける（Ｓ１０９）。なお、ステップＳ１０９において、画像形成装置４から接続応答を所定の期間受信できなかった場合、情報処理装置１は、接続方法を切り替え前の接続方法に設定してもよい。また、ステップＳ１１０において、画像形成装置４は、接続方法切り替え部２０５が接続方法の切り替えが不可であると判断することにより、所定の期間に接続方法を切り替えることができず接続応答を情報処理装置１に送信できなかった場合、画像形成装置４は、接続方法を切り替え前の接続方法に設定してもよい。
【００４２】
情報処理装置１は、接続応答を受信すると、ステップＳ１１１において、情報処理装置１の接続方法切り替え部１０５は、画像形成装置４に対して、新たな接続形式で印刷要求及び印刷情報を送信する。
【００４３】
図７は、本発明の実施の形態における接続方法の制御手順（２）を説明するためのシーケンス図である。図７に示されるステップＳ２０１からステップＳ２０３は、図６に示されるステップＳ１０１からステップＳ１０３と同様である。
【００４４】
ステップＳ２０４において、情報処理装置１に表示された機器情報表示に対して、ユーザがセキュリティレベルを選択する。ユーザが選択したセキュリティレベルが、情報処理装置１と画像形成装置４との現在の接続方法に関連付けられるセキュリティレベル以下である場合、接続方法を切り替えなくてもよい。続いて、情報処理装置１は、画像形成装置４に対して、現在の接続形式で印刷要求及び印刷情報を送信する（Ｓ２０５）。
【００４５】
上述のように、本発明の実施の形態によれば、画像形成装置４は、ユーザに選択されたセキュリティレベルが高い場合には、非セキュア接続経由でセキュア接続に必要な設定情報を情報処理装置１と画像形成装置４との間で交換し、自動的にセキュア接続に切り替える。セキュア接続に切り替えた後、情報処理装置１から画像形成装置４にセキュア接続経由で印刷情報を送信することで、第三者への印刷情報の漏洩を防ぐことができる。
【００４６】
すなわち、設定されるセキュリティレベルに応じて、印刷情報が送信される接続手段を変更して、第三者への印刷情報の漏えいを防ぐことができる。
【００４７】
なお、本発明の実施の形態において、ネットワーク処理部２０３は、送信部又は受信部の一例である。接続方法切り替え部２０５又は接続切り替え可否管理部２０９は、切替部の一例である。印刷処理部２０２は、印刷部の一例である。
【００４８】
なお、本発明は、プロジェクタ、医療用機器又はテレビ会議システム等の画像処理装置又は画像処理システムに適用可能である。また、本発明は、撮像した画像を処理する装置又はシステムとなり得る、携帯電話、携帯型情報端末、車載機器等の通信端末又は情報処理装置に適用可能である。また、本発明の情報処理装置は、一つの装置にすべての機能を含んで構成されてもよいし、複数の装置によって構成されてもよい。
【００４９】
以上、本発明の実施例について詳述したが、本発明は斯かる特定の実施形態に限定されるものではなく、特許請求の範囲に記載された本発明の要旨の範囲内において、種々の変形・変更が可能である。
【符号の説明】
【００５０】
１          情報処理装置
２          非セキュア接続
３          外部ネットワーク
４          画像形成装置
５          セキュア接続
１１        ＣＰＵ
１２        メモリユニット
１３        補助記憶装置
１４        ネットワーク制御部
１５        入出力装置制御ユニット
１６        外部メディア入出力装置
１７        各種インタフェース
２１        ＣＰＵ
２２        メモリユニット
２３        補助記憶装置
２４        操作パネル
２５        ネットワーク制御部
２６        エンジン部
２７        ＬＣＤ
１０１      ＧＵＩ処理部
１０２      印刷データ送信部
１０３      ネットワーク処理部
１０４      機器情報取得部
１０５      接続方法切り替え部
１０６      印刷データ生成部
１０７      印刷データ管理部
１０８      機器情報管理部
１０９      記憶部
２０１      操作画面処理部
２０２      印刷処理部
２０３      ネットワーク処理部
２０４      アプリ処理部
２０５      接続方法切り替え部
２０６      印刷データ管理部
２０７      機器情報管理部
２０８      設定管理部
２０９      接続切り替え可否管理部
２１０      記憶部
【先行技術文献】
【特許文献】
【００５１】
【特許文献１】特開２０１４−１７９９２８号公報
【図１】
2019155832.tif 000004
【図２】
2019155832.tif 000005
【図３】
2019155832.tif 000006
【図４】
2019155832.tif 000007
【図５】
2019155832.tif 000008
【図６】
2019155832.tif 000009
【図７】
2019155832.tif 000010